(57)【要約】  コネクタ（１０）は、第１のハウジング（１２）と、第１のハウジング（１２）の電子機器側とは逆側に取り付けられる第２のハウジング（１３）とを備える。コネクタ（１０）は、第２のハウジング（１３）の電子機器側とは逆側となる領域に設けられる第１の端子である端子（１３ｄ１）と、第２のハウジング（１３）の電子機器側とは逆側となる領域に設けられ、第１の端子の隣りに設けられる第２の端子である端子（１３ｄ２）とを備える。コネクタ（１０）は、第２のハウジング（１３）の電子機器側とは逆側となる領域に設けられ、第１の端子と第２の端子との配列方向に沿って、第２の端子の隣りに設けられる第３の端子である端子（１３ｄ３）を備える。コネクタ（１０）は、第１の端子及び第２の端子を互いに電気的に接続すると共に、第１の端子及び第２の端子を、電子機器に設けられる第１の機器側導体へ電気的に接続する第１の接続導体を備える。
2020003441.tif 000002
【特許請求の範囲】
【請求項１】
電子機器に取り付けられる第１のハウジングと、
前記第１のハウジングの前記電子機器側とは逆側に取り付けられる第２のハウジングと、
前記第２のハウジングの内、前記電子機器側を向く領域とは逆側となる領域に設けられる第１の端子と、
前記逆側となる領域に設けられ、前記第１の端子の隣りに設けられる第２の端子と、
前記逆側となる領域に設けられ、前記第１の端子と前記第２の端子との配列方向に沿って、前記第２の端子の隣りに設けられる第３の端子と、
前記第１の端子及び前記第２の端子を互いに電気的に接続すると共に、前記第１の端子及び前記第２の端子を、前記電子機器に設けられる第１の機器側導体へ電気的に接続する第１の接続導体と、
を備えることを特徴とするコネクタ。
【請求項２】
前記逆側となる領域に設けられ、前記配列方向に沿って、前記第３の端子の隣りに設けられる第４の端子と、
前記第３の端子及び前記第４の端子を互いに電気的に接続すると共に、前記第３の端子及び前記第４の端子を、前記電子機器に設けられる第２の機器側導体へ電気的に接続する第２の接続導体と、
を備えることを特徴とする請求項１に記載のコネクタ。
【請求項３】
前記第３の端子を、前記電子機器に設けられる第２の機器側導体へ電気的に接続する第２の接続導体を備えることを特徴とする請求項１に記載のコネクタ。
【請求項４】
前記逆側となる領域に設けられ、前記配列方向に沿って、前記第３の端子の隣りに設けられる第４の端子と、
前記第３の端子及び前記第４の端子を互いに電気的に接続すると共に、前記第３の端子及び前記第４の端子を、前記電子機器に設けられる第２の機器側導体へ電気的に接続する第２の接続導体と、
前記逆側となる領域に設けられ、前記配列方向に沿って、前記第４の端子の隣りに設けられる第５の端子と、
前記第５の端子を、前記電子機器に設けられる第３の機器側導体へ電気的に接続する第３の接続導体と、
を備えることを特徴とする請求項１に記載のコネクタ。
【請求項５】
前記第１の接続導体は、
前記逆側となる領域に設けられ、前記第１の端子及び前記第２の端子を互いに電気的に接続する導体と、
一端が前記導体に接続され、他端が前記電子機器側を向く領域に向かって伸びる端子と、
前記電子機器側を向く領域において前記第１の端子に対応して設けられ、一端が前記端子に接続され、他端が前記第１の機器側導体と電気的に接続される第１棒状端子と、
を備え、
前記電子機器側を向く領域において前記第２の端子に対応して設けられる第２棒状端子と、前記導体との間には、前記端子が設けられていないことを特徴とする請求項１から４の何れか一項に記載のコネクタ。
【請求項６】
前記第１の接続導体は、
前記逆側となる領域に設けられ、前記第１の端子及び前記第２の端子を互いに電気的に接続する導体と、
一端が前記導体に接続され、他端が前記電子機器側を向く領域に向かって伸びる端子と、
前記電子機器側を向く領域において前記第２の端子に対応して設けられ、一端が前記端子に接続され、他端が前記第２の機器側導体と電気的に接続される第１棒状端子と、
を備え、
前記電子機器側を向く領域において前記第１の端子に対応して設けられる第２棒状端子と、前記導体との間には、前記端子が設けられていないことを特徴とする請求項２から４の何れか一項に記載のコネクタ。
【請求項７】
請求項１から６の何れか一項に記載のコネクタが第１コネクタとして設けられる第１の電子機器と、
請求項１から６の何れか一項に記載のコネクタが第２コネクタとして設けられ、前記第１の電子機器の隣りに配置される第２の電子機器と、
請求項１から６の何れか一項に記載のコネクタが第３コネクタとして設けられ、前記第２の電子機器の前記第１の電子機器側とは逆側に配置される第３の電子機器と、
前記第１コネクタの前記第２の端子と、前記第２コネクタの前記第１の端子とを接続する第１の導電性部材と、
前記第２コネクタの前記第２の端子と、前記第３コネクタの前記第１の端子とを接続する第２の導電性部材と、
を備えることを特徴とする電子機器システム。
【発明の詳細な説明】
【技術分野】
【０００１】
本発明は、電子機器に設けられるコネクタ及び当該コネクタが設けられる複数の電子機器を備えた電子機器システムに関する。
【背景技術】
【０００２】
隣接するように並べられた複数の電子機器を備えた電子機器システムでは、複数の電子機器のそれぞれが同種の信号を共用する場合、隣接する２つの電子機器のそれぞれに設けられる機器側導体同士が渡り配線を用いて数珠繋ぎで接続される。このような電子機器の接続方法はデイジーチェーン接続と呼ばれる。複数の電子機器をデイジーチェーン接続する場合、機器側導体への渡り配線の接続と機器側導体に接続された渡り配線の取外しとが容易に行えるように、渡り配線用のコネクタを複数の電子機器のそれぞれに設けることが一般的に行われている。【０００３】
非特許文献１に開示される渡り配線用のコネクタは、ハウジングと、このハウジングの内、電子機器側を向く領域とは逆側となる領域に設けられる第１の端子から第４の端子とを備える。第２の端子は、第１の端子の隣りに設けられる。第３の端子は、第１の端子及び第２の端子の配列方向と直交する方向に沿って第１の端子の隣りに設けられる。第４の端子は、当該直交する方向に沿って第２の端子及び第３の端子の隣りに設けられる。【０００４】
またハウジングは、接続導体を備える。接続導体は、第１の端子及び第２の端子を互いに電気的に接続すると共に、第１の端子及び第２の端子を電子機器に設けられる機器側導体へ電気的に接続する導体である。接続導体は、機器側導体から第１の端子及び第２の端子へ向かって伸びる１つの導体の先端が二叉に分岐した形状を有する。【０００５】
第１の端子に第１の渡り配線が接続され、第２の端子に第１の渡り配線が接続されることによって、第１の渡り配線と第２の渡り配線は、接続導体によって互いに電気的に接続される。
【先行技術文献】
【非特許文献】
【０００６】
【非特許文献１】フェニックスコンタクト  製品カタログ「プリント基板用端子台・コネクタ」  2017/2018年  インターネット＜URL：https://www.phoenixcontact.com/assets/downloads_ed/global/web_dwl_promotion/CAT_7_2017_JA_LoRes.pdf＞P349  TSPC5/..-/STシリーズ
【発明の概要】
【発明が解決しようとする課題】
【０００７】
しかしながら、非特許文献１のコネクタが電子機器に用いられた場合、第１から第４の端子をコネクタから電子機器に向かって平面視したときに、ハウジングには２列２行で配列される複数の端子が設けられる形となる。そのため、接続導体で接続される第１の端子及び第２の端子は、複数の電子機器の配列方向に沿って配列される形になり、当該配列方向のハウジングの幅は、当該配列方向の電子機器の幅に比べて相対的に大きくなる。従って、隣接する２つの電子機器の間の隙間に、当該配列方向のハウジングの先端が突き出る形となり、電子機器に設けられたコネクタのハウジングが、当該電子機器に隣接する他の電子機器に干渉するおそれがある。このような干渉を避けるためには当該隙間を広げなければならず、当該隙間を広げることによって当該隙間を含む電子機器システム全体の大きさが大きくなるという課題があった。【０００８】
本発明は、上記に鑑みてなされたものであって、複数の電子機器を備える電子機器システム全体の大きさを小型化できるコネクタを得ることを目的とする。
【課題を解決するための手段】
【０００９】
上述した課題を解決し、目的を達成するために、本発明のコネクタは、電子機器に取り付けられる第１のハウジングと、第１のハウジングの電子機器側とは逆側に取り付けられる第２のハウジングとを備える。第２のハウジングの内、電子機器側を向く領域とは逆側となる領域に設けられる第１の端子と、逆側となる領域に設けられ、第１の端子の隣りに設けられる第２の端子とを備える。コネクタは、逆側となる領域に設けられ、第１の端子と第２の端子との配列方向に沿って、第２の端子の隣りに設けられる第３の端子を備える。コネクタは、第１の端子及び第２の端子を互いに電気的に接続すると共に、第１の端子及び第２の端子を、電子機器に設けられる第１の機器側導体へ電気的に接続する第１の接続導体を備えることを特徴とする。
【発明の効果】
【００１０】
本発明に係るコネクタは、複数の電子機器を備える電子機器システム全体の大きさを小型化できるという効果を奏する。
【図面の簡単な説明】
【００１１】
【図１】本発明の実施の形態に係る電子機器システムの外観図
【図２】図１に示す電子機器の内部を示す図
【図３】図１に示すコネクタの正面図
【図４】図３に示すＩＶ−ＩＶ矢視断面図
【図５】本発明の実施の形態の第１変形例に係るコネクタの構成例を示す図
【図６】図５に示すＶＩ−ＶＩ矢視断面図
【図７】本発明の実施の形態の第２変形例に係るコネクタの断面図
【図８】図４に示す第１のハウジングに、渡り配線に対応していない第２のハウジングを接続する状態を示す図
【発明を実施するための形態】
【００１２】
以下に、本発明の実施の形態に係るコネクタ及び電子機器システムを図面に基づいて詳細に説明する。なお、この実施の形態によりこの発明が限定されるものではない。
【００１３】
実施の形態．
図１は本発明の実施の形態に係る電子機器システムの外観図である。図２は図１に示す電子機器の内部を示す図である。図２には、図１に示す複数の電子機器１，２，３の内、電子機器１と、電子機器１に接続されるコネクタ１０とが示される。
【００１４】
図１に示す電子機器システム１００は、複数の電子機器１，２，３と、電子機器１に設けられるコネクタ１０と、電子機器２に設けられるコネクタ２０と、電子機器３に設けられるコネクタ３０と、３つの渡り配線ａ１１，ａ１２，ａ１３と、３つの渡り配線ａ２１，ａ２２，ａ２３と、３つの渡り配線ａ３１，ａ３２，ａ３３とを備える。電子機器１は第１の電子機器であり、電子機器１にはコネクタ１０が第１コネクタとして設けられる。電子機器２は第２の電子機器であり、電子機器２にはコネクタ２０が第２コネクタとして設けられる。電子機器３は第３の電子機器であり、電子機器３にはコネクタ３０が第３コネクタとして設けられる。電子機器２は電子機器１の隣りに配置され、電子機器３は電子機器２の第１の電子機器側とは逆側に配置される。
【００１５】
複数の電子機器１，２，３のそれぞれは、例えばモータを駆動するインバータ、サーボモータを制御するサーボアンプなどである。なお、本実施の形態では電子機器の数が３つであるが、渡り配線を用いて少なくとも２つの電子機器が接続されればよく、電子機器の数は２以上であればよい。
【００１６】
図１では、左手系のＸＹＺ座標において、複数の電子機器１，２，３の横幅方向をＺ軸方向とし、複数の電子機器１，２，３の奥行き方向をＹ軸方向とし、複数の電子機器１，２，３の縦幅方向をＸ軸方向とする。Ｚ軸方向は、複数の電子機器１，２，３の配列方向に等しい。上記の各軸方向は、図２以降の各図においても同様とする。
【００１７】
３つの渡り配線ａ１１，ａ１２，ａ１３のそれぞれは、例えば複数の電子機器１，２，３で共用される信号を生成する機器と、コネクタ１０とを接続する。
【００１８】
３つの渡り配線ａ２１，ａ２２，ａ２３のそれぞれは、コネクタ１０とコネクタ２０とを接続する。
【００１９】
３つの渡り配線ａ３１，ａ３２，ａ３３のそれぞれは、コネクタ２０とコネクタ３０とを接続する。
【００２０】
電子機器１に設けられるコネクタ１０は、電子機器１のＹ軸方向の一方の端面１ａに形成されるコネクタ挿入口１ｂに挿入される第１のハウジング１２と、第１のハウジング１２の内、電子機器１側とは逆側に設けられる第２のハウジング１３とを備える。第１のハウジング１２及び第２のハウジング１３は、コネクタ１０の筐体であり、電子機器１に取り付けられる。
【００２１】
コネクタ挿入口１ｂは、電子機器１の端面１ａからＹ軸方向に向かって窪む窪みである。コネクタ挿入口１ｂには複数の機器側導体１ｃが設けられる。複数の機器側導体１ｃのそれぞれは、例えば電子機器１内に設けられるプリント基板上の導電性のランドである。なお、機器側導体１ｃは、ランドに限定されず、プリント基板に形成される筒状の導電性スルーホールでもよい。
【００２２】
第２のハウジング１３には、Ｘ軸方向に一列に配列される複数の端子挿入穴１３ａ１，１３ａ２，１３ａ３，１３ａ４，１３ａ５，１３ａ６が形成される。以下では、複数の端子挿入穴１３ａ１，１３ａ２，１３ａ３，１３ａ４，１３ａ５，１３ａ６を単に端子挿入穴１３ａと称する場合がある。複数の端子挿入穴１３ａは、Ｘ軸方向に互いに離れて配列される。
【００２３】
第２のハウジング１３の第１端面１３１から第２端面１３２に向かって１つ目の端子挿入穴１３ａ１には、第２のハウジング１３の第１端面１３１から第２端面１３２に向かって１つ目の渡り配線ａ１１の一端に設けられる雄型端子が挿入される。
【００２４】
同様に、２つ目の端子挿入穴１３ａ２には、２つ目の渡り配線ａ２１の一端に設けられる雄型端子が挿入され、３つ目の端子挿入穴１３ａ３には、２つ目の渡り配線ａ１２の一端に設けられる雄型端子が挿入される。
【００２５】
また、４つ目の端子挿入穴１３ａ４には、２つ目の渡り配線ａ２２の一端に設けられる雄型端子が挿入され、５つ目の端子挿入穴１３ａ５には、３つ目の渡り配線ａ１３の一端に設けられる雄型端子が挿入され、６つ目の端子挿入穴１３ａ６には、３つ目の渡り配線ａ２３の一端に設けられる雄型端子が挿入される。
【００２６】
コネクタ１０は複数の導体１１を備える。複数の導体１１は第２のハウジング１３内に設けられる。複数の導体１１は、Ｘ軸方向に互いに離れて配列される。第２のハウジング１３の第１端面１３１から第２端面１３２に向かって１つ目の導体１１は、第２のハウジング１３の第１端面１３１から第２端面１３２に向かって１つ目の端子挿入穴１３ａ１から２つ目の端子挿入穴１３ａ２に渡ってＸ軸方向に伸びる。
【００２７】
なお図１には説明の便宜上、導体１１を示しているが、導体１１は第２のハウジング１３内に設けられており、第２のハウジング１３の外部から見えないものとする。
【００２８】
２つ目の導体１１は、３つ目の端子挿入穴１３ａ３から４つ目の端子挿入穴１３ａ４に渡ってＸ軸方向に伸び、３つ目の導体１１は、５つ目の端子挿入穴１３ａ５から６つ目の端子挿入穴１３ａ６に渡ってＸ軸方向に伸びる。
【００２９】
電子機器２に設けられるコネクタ２０は、コネクタ１０と同様に、電子機器２のコネクタ挿入口２ｂに挿入される第１のハウジングと、第１のハウジングの電子機器２側とは逆側に設けられる第２のハウジング２３と、第２のハウジング２３内に設けられる複数の導体２１とを備える。図１ではコネクタ２０に設けられる第１のハウジングの図示が省略されている。なお図１には説明の便宜上、導体２１を示しているが、導体２１は第２のハウジング２３内に設けられており、第２のハウジング２３の外部から見えないものとする。
【００３０】
コネクタ挿入口２ｂは電子機器２のＹ軸方向の端面２ａに形成される。コネクタ挿入口２ｂには、機器側導体１ｃと同様の端子である機器側導体２ｃが設けられる。
【００３１】
第２のハウジング２３には、第２のハウジング１３と同様に、Ｘ軸方向に一列に配列される複数の端子挿入穴２３ａが形成される。複数の端子挿入穴２３ａは、Ｘ軸方向に互いに離れて配列される。第２のハウジング２３の第１端面２３１から第２端面２３２に向かって１つ目の端子挿入穴２３ａには、第２のハウジング２３の第１端面２３１から第２端面２３２に向かって１つ目の渡り配線ａ２１の他端に設けられる雄型端子が挿入される。
【００３２】
同様に、２つ目の端子挿入穴２３ａには、１つ目の渡り配線ａ３１の一端に設けられる雄型端子が挿入される。３つ目の端子挿入穴２３ａには、２つ目の渡り配線ａ２２の他端に設けられる雄型端子が挿入される。
【００３３】
また、４つ目の端子挿入穴２３ａには、２つ目の渡り配線ａ３２の一端に設けられる雄型端子が挿入され、５つ目の端子挿入穴２３ａには、３つ目の渡り配線ａ２３の他端に設けられる雄型端子が挿入され、６つ目の端子挿入穴２３ａには、３つ目の渡り配線ａ３３の一端に設けられる雄型端子が挿入される。
【００３４】
複数の導体２１は、Ｘ軸方向に互いに離れて配列される。第２のハウジング２３の第１端面２３１から第２端面２３２に向かって１つ目の導体２１は、第２のハウジング２３の第１端面２３１から第２端面２３２に向かって１つ目の端子挿入穴２３ａから２つ目の端子挿入穴２３ａに渡ってＸ軸方向に伸びる。同様に、２つ目の導体２１は、３つ目の端子挿入穴２３ａから４つ目の端子挿入穴２３ａに渡ってＸ軸方向に伸び、３つ目の導体２１は、５つ目の端子挿入穴２３ａから６つ目の端子挿入穴２３ａに渡ってＸ軸方向に伸びる。
【００３５】
電子機器３に設けられるコネクタ３０は、コネクタ１０と同様に、電子機器３のコネクタ挿入口３ｂに挿入される第１のハウジングと、当該第１のハウジングの電子機器３側とは逆側に設けられる第２のハウジング３３と、第２のハウジング３３内に設けられる複数の導体３１とを備える。図１ではコネクタ３０に設けられる第１のハウジングの図示が省略されている。なお図１には説明の便宜上、導体３１を示しているが、導体３１は第２のハウジング３３内に設けられており、第２のハウジング３３の外部から見えないものとする。
【００３６】
コネクタ挿入口３ｂは電子機器３のＹ軸方向の端面３ａに形成される。コネクタ挿入口３ｂには、機器側導体１ｃと同様の端子である機器側導体３ｃが設けられる。
【００３７】
第２のハウジング３３には、第２のハウジング１３と同様に、Ｘ軸方向に１列に配列される複数の端子挿入穴３３ａが形成される。複数の端子挿入穴３３ａは、Ｘ軸方向に互いに離れて配列される。第２のハウジング３３の第１端面３３１から第２端面３３２に向かって１つ目の端子挿入穴３３ａには、第２のハウジング３３の第１端面３３１から第２端面３３２に向かって１つ目の渡り配線ａ３１の他端に設けられる雄型端子が挿入される。
【００３８】
同様に、３つ目の端子挿入穴３３ａには、２つ目の渡り配線ａ３２の他端に設けられる雄型端子が挿入され、５つ目の端子挿入穴３３ａには、３つ目の渡り配線ａ３３の他端に設けられる雄型端子が挿入される。
【００３９】
複数の導体３１は、Ｘ軸方向に互いに離れて配列される。第２のハウジング３３の第１端面３３１から第２端面３３２に向かって１つ目の導体３１は、第２のハウジング３３の第１端面３３１から第２端面３３２に向かって１つ目の端子挿入穴３３ａから２つ目の端子挿入穴３３ａに渡ってＸ軸方向に伸びる。同様に、２つ目の導体３１は、３つ目の端子挿入穴３３ａから４つ目の端子挿入穴３３ａに渡ってＸ軸方向に伸び、３つ目の導体３１は、５つ目の端子挿入穴３３ａから６つ目の端子挿入穴３３ａに渡ってＸ軸方向に伸びる。
【００４０】
図２に示すように、コネクタ挿入口１ｂに設けられる複数の機器側導体１ｃは、Ｘ軸方向に互いに離れて配列される。複数の機器側導体１ｃの内、第２のハウジング１３の第１端面１３１から第２端面１３２に向かって１つ目の機器側導体１ｃは第１の機器側導体であり、第２のハウジング１３の第１端面１３１から第２端面１３２に向かって２つ目の機器側導体１ｃは第２の機器側導体である。
【００４１】
複数の機器側導体１ｃのそれぞれは、電子機器１の内部配線１ｄを介して、電子機器１の内部回路１ｅと電気的に接続される。コネクタ挿入口１ｂにコネクタ１０が挿入されることにより、例えば図１に示す渡り配線ａ１１及び渡り配線ａ２１は、図１に示す導体１１と図２に示す機器側導体１ｃとを介して、内部回路１ｅへ電気的に接続される。
【００４２】
なお、図１に示す電子機器２には、電子機器１と同様に、内部配線及び内部回路が設けられているものとする。コネクタ挿入口２ｂにコネクタ２０が挿入されることにより、例えば渡り配線ａ２１及び渡り配線ａ３１は、導体２１と機器側導体２ｃとを介して、電子機器２の内部回路へ電気的に接続される。また、図１に示す電子機器３には、電子機器１と同様に、内部配線及び内部回路が設けられているものとする。コネクタ挿入口３ｂにコネクタ３０が挿入されることにより、例えば渡り配線ａ３１は、導体３１と機器側導体３ｃとを介して、電子機器３の内部回路へ電気的に接続される。
【００４３】
図１に示すように、例えば１つ目の渡り配線ａ１１、渡り配線ａ２１及び渡り配線ａ３１と、複数のコネクタ１０、コネクタ２０及びコネクタ３０とを用いることにより、電子機器１、電子機器２及び電子機器３がデイジーチェーン接続される。
【００４４】
ここで、１つ目の渡り配線ａ１１の他端は、例えば複数の電子機器１，２，３で共用される第１の信号を生成する機器に接続される。例えば複数の電子機器１，２，３のそれぞれがサーボアンプの場合、第１の信号を生成する機器は、各サーボアンプに接続されるモータを制御するプログラマブルロジックコントローラであり、第１の信号は、当該プログラマブルロジックコントローラで生成される制御信号である。また、複数の電子機器１，２，３のそれぞれがインバータの場合、第１の信号を生成する機器は、各インバータ内に設けられるスイッチング素子の動作を制御するための制御回路であり、第１の信号は、当該制御回路で生成される電圧指令である。
【００４５】
なお、第１の信号は、複数の電子機器１，２，３で共用される信号であればよく、第１の信号の種類はこれらに限定されない。
【００４６】
２つ目の渡り配線ａ１２の他端は、例えば複数の電子機器１，２，３で共用される第１の信号以外の第２の信号を生成する機器に接続してもよい。同様に、３つ目の渡り配線ａ１３の他端は、例えば複数の電子機器１，２，３で共用される第１の信号及び第２の信号以外の第３の信号を生成する機器に接続してもよい。
【００４７】
また、複数の渡り配線ａ１１，ａ１２，ａ１３には、信号を伝送する配線に代えて、例えば複数の電子機器１，２，３に直流電力を供給する直流電源から伸びる配線を用いてもよい。具体的には、例えば１つ目の渡り配線ａ１１は正側直流母線として利用され、２つ目の渡り配線ａ１２は負側直流母線として利用され、３つ目の渡り配線ａ１３は、前述した第１から第３の信号の何れか１つを伝送する配線として利用される。
【００４８】
なお、本実施の形態では、各コネクタに設けられる接続導体の数が３つであるが、各コネクタに設けられる接続導体の数は３つに限定されない。例えば、デイジーチェーン接続される複数の電子機器が、２種類の信号を共用する場合、各コネクタに設けられる接続導体の数は２つでもよい。またデイジーチェーン接続される複数の電子機器が、１種類の信号を共用する場合、各コネクタに設けられる接続導体の数は１つでもよい。また、デイジーチェーン接続される複数の電子機器が、直流電源から供給される直流電力を共用する場合、各コネクタに設けられる接続導体の数は、正側直流母線用及び負側直流母線用に２つでもよい。
【００４９】
次に図３及び図４を用いてコネクタ１０の構造を詳細に説明する。なおコネクタ２０及びコネクタ３０はそれぞれコネクタ１０と同様の構造であるため、以下ではコネクタ１０の構造について説明し、コネクタ２０及びコネクタ３０の構造に関しては説明を省略する。
【００５０】
図３は図１に示すコネクタの正面図である。図４は図３に示すＩＶ−ＩＶ矢視断面図である。
【００５１】
コネクタ１０の第１のハウジング１２の材料には、ポリブチレンテレフタレート、ポリフェニレンサルファイド、液晶ポリマーなどの絶縁性の樹脂を例示できる。端子１２ｂの材料には、導電性を有する鉄、銅、フェライトなどを例示できる。
【００５２】
第１のハウジング１２には、Ｘ軸方向に互いに離れて配列される複数の端子１２ｂと、第２のハウジング１３の突部１３ｅが挿入される凹部１２ｃとが設けられる。複数の端子１２ｂのそれぞれは、Ｙ軸方向へ伸びる柱形状の導電性部材である。複数の端子１２ｂの内、第２のハウジング１３の第１端面１３１から第２端面１３２に向かって１つ目の端子１２ｂは第１棒状端子である。複数の端子１２ｂの内、第２のハウジング１３の第１端面１３１から第２端面１３２に向かって２つ目の端子１２ｂは第２棒状端子である。端子１２ｂのＹ軸方向の一端は、貫通孔１３ｂを形作る壁面の内側に位置する。端子１２ｂのＹ軸方向の他端は、貫通孔１３ｂ側とは逆側に伸びて、第１のハウジング１２の外部に位置する。端子１２ｂの他端は、例えば図２に示される機器側導体１ｃにはんだ付けされる。これにより、端子１２ｂは機器側導体１ｃと機械的に接続されると共に電気的に接続される。
【００５３】
コネクタ１０の第２のハウジング１３及び突部１３ｅの材料には、第１のハウジング１２の材料と同様の絶縁性の樹脂を例示できる。第２のハウジング１３は、絶縁性の樹脂を用いてダイカストにより製造された複数の部材を組み合わせて製造される。
【００５４】
第２のハウジング１３には、Ｘ軸方向に互いに離れて配列され凹部１２ｃへ挿入される突形状の複数の突部１３ｅと、複数の突部１３ｅのそれぞれの中心に形成される複数の貫通孔１３ｂと、貫通孔１３ｂを取り囲むように突部１３ｅの内周部に設けられる筒状の筒状端子である導体１３ｃとが設けられる。図４に示すコネクタ１０では、第２のハウジング１３の第１端面１３１から第２端面１３２に向けて、１つ目、３つ目及び５つ目のそれぞれの突部１３ｅに、導体１３ｃが設けられている。２つ目、４つ目及び６つ目のそれぞれの突部１３ｅには、導体１３ｃが設けられていない。
【００５５】
また第２のハウジング１３には、例えば３つの渡り配線ａ１１，ａ２１，ａ３１の何れかへ電気的に接続される複数の端子１３ｄ１，１３ｄ２，１３ｄ３，１３ｄ４，１３ｄ５，１３ｄ６と、Ｘ軸方向に隣接する２つの端子１３ｄ同士を電気的に接続する複数の導体１１とが設けられる。複数の端子１３ｄ１，１３ｄ２，１３ｄ３，１３ｄ４，１３ｄ５，１３ｄ６は、コネクタ１０の筐体を構成するハウジングの内、電子機器側を向く領域とは逆側となる領域に設けられる。すなわち、複数の端子１３ｄ１，１３ｄ２，１３ｄ３，１３ｄ４，１３ｄ５，１３ｄ６は、Ｙ軸方向の第２のハウジング１３の第１のハウジング１２側とは逆側に設けられる。以下では複数の端子１３ｄ１，１３ｄ２，１３ｄ３，１３ｄ４，１３ｄ５，１３ｄ６のそれぞれを単に端子１３ｄと称する場合がある。
【００５６】
導体１３ｃ、導体１１及び端子１３ｄのそれぞれの材料には、端子１２ｂの材料と同様のものを例示できる。
【００５７】
図４において、第２のハウジング１３の第１端面１３１から第２端面１３２に向かって１つ目の端子１３ｄは第１の端子、２つ目の端子１３ｄは第２の端子、３つ目の端子１３ｄは第３の端子、４つ目の端子１３ｄは第４の端子、５つ目の端子１３ｄは第５の端子、６つ目の端子１３ｄは第６の端子である。
【００５８】
第１の端子及び第２の端子には、１つの導体１１が接続される。この１つの導体１１には、１つの導体１３ｃが接続される。第１の端子及び第２の端子を接続する導体１１と、当該導体１１に接続される導体１３ｃと、当該導体１３ｃに接続される端子１２ｂとは、第１の接続導体４０ａを構成する。端子１２ｂの一端は、導体１３ｃの内側に挿入され、端子１２ｂは導体１３ｃと機械的に接続されると共に電気的に接続される。
【００５９】
第１の接続導体４０ａは、第１の端子及び第２の端子を互いに電気的に接続すると共に、第１の端子及び第２の端子を、第１の機器側導体へ電気的に接続する。第１の接続導体４０ａは、図２に示す機器側導体１ｃから、第１の端子及び第２の端子へ向かって伸びる導体の先端が二叉に分岐した形状の部材である。第１の接続導体４０ａは、導体１１及び導体１３ｃを一体に製造したものでもよいし、個別に製作された導体１１及び導体１３ｃを組み合わせたものでもよい。なお、第１の接続導体４０ａの形状は、先端が多叉に分岐した形状であればよい。
【００６０】
同様に、隣接する第３の端子及び第４の端子を導体１１と、当該導体１１に接続される導体１３ｃと、当該導体１３ｃに接続される端子１２ｂとは、第２の接続導体４０ｂを構成する。第２の接続導体４０ｂは、第３の端子及び第４の端子を互いに電気的に接続すると共に、第３の端子及び第４の端子を、第２の機器側導体へ電気的に接続する。
【００６１】
同様に、隣接する第５の端子及び第６の端子を導体１１と、この導体１１に接続される導体１３ｃと、当該導体１３ｃに接続される端子１２ｂとは、第３の接続導体４０ｃを構成する。第３の接続導体４０ｃは、第５の端子及び第６の端子を互いに電気的に接続すると共に、第５の端子及び第６の端子を、第３の機器側導体へ電気的に接続する。第３の機器側導体は、例えば図２に示す複数の機器側導体１ｃの内、第２のハウジング１３の第１端面１３１から第２端面１３２に向かって３つ目の機器側導体１ｃに相当する。
【００６２】
第２のハウジング１３が第１のハウジング１２に嵌め合わされることにより、第１の端子及び第２の端子は、第１の接続導体４０ａを介して第１の機器側導体へ電気的に接続され、第３の端子及び第４の端子は、第２の接続導体４０ｂを介して、第２の機器側導体へ電気的に接続される。また、第５の端子及び第６の端子は、第３の接続導体４０ｃを介して、第３の機器側導体へ電気的に接続される。
【００６３】
なお、第１から第３の接続導体４０ａ，４０ｂ，４０ｃの第２のハウジング１３への取り付けは、例えば、第２のハウジング１３が、Ｚ軸方向に分離可能な第１部材及び第２部材により構成される場合、第１部材に第２部材が組み合わされる前に、第１から第３の接続導体４０ａ，４０ｂ，４０ｃが第１部材に組み込まれ、その後、第２部材が第１部材に組み合わされることにより行われる。
【００６４】
また、第１の端子と第２の端子と第１の接続導体４０ａとは、一体に製造したものでもよいし、個別に製作された第１の端子、第２の端子及び第１の接続導体４０ａを組み合わせたものでもよい。第３の端子と第４の端子と第２の接続導体４０ｂも同様である。第５の端子と第６の端子と第３の接続導体４０ｃも同様である。
【００６５】
このように構成されるコネクタ１０が電子機器に用いられた場合、コネクタ１０から電子機器に向かって、複数の端子１３ｄを平面視したときに、第２のハウジング１３には、Ｘ軸方向に沿って１列に複数の端子１３ｄが設けられる形となる。そのため、Ｚ軸方向の第２のハウジング１３の幅は、第１の端子及び第２の端子がＺ軸方向に沿って配列される場合に比べて、小さくなる。
【００６６】
従って、隣接する電子機器１及び電子機器２の間の隙間に、第２のハウジング１３が突き出ることがなく、当該隙間を狭くしてもコネクタ１０がコネクタ２０に干渉するおそれがない。また、例えば電子機器１に設けられたコネクタ１０の第２のハウジング１３が第２の電子機器に干渉するおそれがない。その結果、当該隙間を含む電子機器システム１００全体の大きさを小さくすることができる。
【００６７】
なお、図１に示す電子機器システム１００では、複数の電子機器間を電気的に接続するため渡り配線が用いられるが、複数の電子機器間を電気的に接続する部材は、複数の電子機器の内、隣接する電子機器同士を数珠繋ぎで接続する導電性部材であればよく、例えば導電性のパターン配線が設けられた導体、導電性のバスバーなどでもよい。
【００６８】
例えば、図１に示す電子機器２に設けられるコネクタ２０の第１の端子には、電子機器１に設けられるコネクタ１０の第２の端子をコネクタ２０の第１の端子に接続するための第１の導電性部材が接続される。
【００６９】
また、電子機器２に設けられるコネクタ２０の第２の端子には、電子機器３に設けられるコネクタ３０の第２の端子をコネクタ２０の第２の端子に接続するための第２の導電性部材が接続される。
【００７０】
また、電子機器２に設けられるコネクタ２０の第３の端子には、電子機器１に設けられるコネクタ１０の第４の端子をコネクタ２０の第３の端子に接続するための第３の導電性部材が接続される。
【００７１】
また、電子機器２に設けられるコネクタ２０の第４の端子には、電子機器３に設けられるコネクタ３０の第３の端子をコネクタ２０の第４の端子に接続するための第４の導電性部材が接続される。
【００７２】
この場合、第１の導電性部材は、１つ目の渡り配線ａ２１に相当し、第２の導電性部材は、１つ目渡り配線ａ３１に相当する。また、第３の導電性部材は、２つ目の渡り配線ａ２２に相当し、第４の導電性部材は、２つ目渡り配線ａ３２に相当する。
【００７３】
図５は本発明の実施の形態の第１変形例に係るコネクタの構成例を示す図である。図６は図５に示すＶＩ−ＶＩ矢視断面図である。図６に示すコネクタ１０Ａは、図４に示す第１のハウジング１２及び第２のハウジング１３の代わりに、第１のハウジング１２Ａ及び第２のハウジング１３Ａを備える。
【００７４】
第１のハウジング１２Ａには、３つの貫通孔１２ａが形成され、３つの端子１２ｂ及び凹部１２ｃが設けられる。第１のハウジング１２ＡのＸ軸方向の幅は、図４に示す第１のハウジング１２のＸ軸方向の幅よりも狭い。
【００７５】
第２のハウジング１３Ａには、３つの端子挿入穴１３ａが形成される。また第２のハウジング１３Ａは、３つの端子１３ｄと、１つの導体１１と、２つの導体１３ｃと、３つの突部１３ｅとを備える。第２のハウジング１３Ａでは、第１端面１３１から第２端面１３２に向けて、１つ目及び３つ目のそれぞれの突部１３ｅに、導体１３ｃが設けられている。３つ目の突部１３ｅに設けられる導体１３ｃは、一端が端子１３ｄに接続され、他端が端子１２ｂに接続される。２つ目の突部１３ｅには、導体１３ｃが設けられていない。第２のハウジング１３ＡのＸ軸方向の幅は、図４に示す第２のハウジング１３のＸ軸方向の幅よりも狭い。
【００７６】
第２のハウジング１３の第１端面１３１から第２端面１３２に向かって、１つ目の端子１３ｄは第１の端子、２つ目の端子１３ｄは第２の端子、３つ目の端子１３ｄは第３の端子である。当該第３の端子に接続される導体１３ｃは、第３の端子を、電子機器に設けられる第２の機器側導体へ電気的に接続する第２の接続導体として機能する。
【００７７】
コネクタ１０Ａには、例えば、複数の電子機器１，２，３で共用される信号を伝送する１つの渡り配線と、複数の電子機器１，２，３の内、特定の電子機器のみで利用される信号を伝送する１つの渡り配線とを接続可能である。例えば電子機器１のみで利用される信号を伝送する渡り配線は、第３の端子に接続される。コネクタ１０Ａによれば、端子１３ｄの数を減らすことができるため、コネクタ１０Ａの構造が簡素化される。
【００７８】
コネクタ１０Ａによれば、コネクタ１０と同様に、コネクタ１０ＡのＺ軸方向の幅を小さくすることができる。また、コネクタ１０Ａは、コネクタ１０に比べて、Ｘ軸方向の幅を小さくすることができる。例えば、複数の電子機器１，２，３の間で１種類の信号のみ共用するように構成される電子機器システム１００は、図１に示す複数の電子機器１，２，３のそれぞれのＸ軸方向の幅を小さくできる。このようにＸ軸方向の幅が小さい複数の電子機器１，２，３に、図６に示すコネクタ１０Ａを用いることができる。従って、コネクタ１０Ａによれば、電子機器システム１００全体の大きさを、より一層小さくすることができる。なお、図１に示すコネクタ２０及びコネクタ３０のそれぞれは、図６に示すコネクタ１０Ａと同様に構成してもよい。また電子機器システム１００には、例えば図４に示されるコネクタ１０と、図６に示されるコネクタ１０Ａと同様に構成されるコネクタ２０と、図６に示されるコネクタ１０Ａと同様に構成されるコネクタ３０とを組み合わせてもよい。このように異なる形状の複数のコネクタを組み合わせた場合でも、これらのコネクタには、複数の電子機器１，２，３で共用される信号を伝送する１つの渡り配線と、複数の電子機器１，２，３の内、特定の電子機器のみで利用される信号を伝送する１つの渡り配線とを接続可能である。
【００７９】
なお、第２のハウジング１３Ａは、図４に示す第１のハウジング１２に接続することも可能である。すなわち、図４に示す第１のハウジング１２は、図４に示す第２のハウジング１３と、図６に示す第２のハウジング１３Ａとに利用可能である。
【００８０】
図７は本発明の実施の形態の第２変形例に係るコネクタの断面図である。図７に示すコネクタ１０Ｂは、図４に示す第１のハウジング１２及び第２のハウジング１３の代わりに、第１のハウジング１２Ｂ及び第２のハウジング１３Ｂを備える。
【００８１】
第１のハウジング１２Ｂには、５つの貫通孔１２ａが形成され、５つの端子１２ｂ及び凹部１２ｃが設けられる。第１のハウジング１２ＢのＸ軸方向の幅は、図４に示す第１のハウジング１２のＸ軸方向の幅よりも狭い。
【００８２】
第２のハウジング１３Ｂには、５つの端子挿入穴１３ａが形成される。また第２のハウジング１３Ｂは、５つの端子１３ｄと、２つの導体１１と、３つの導体１３ｃと、５つの突部１３ｅとを備える。第２のハウジング１３Ｂでは、第１端面１３１から第２端面１３２に向けて、１つ目、３つ目及び５つ目のそれぞれの突部１３ｅに、導体１３ｃが設けられている。５つ目の突部１３ｅに設けられる導体１３ｃは、一端が端子１３ｄに接続され、他端が端子１２ｂに接続される。２つ目及び４つ目のそれぞれの突部１３ｅには、導体１３ｃが設けられていない。第２のハウジング１３ＢのＸ軸方向の幅は、図４に示す第２のハウジング１３のＸ軸方向の幅よりも狭い。
【００８３】
第２のハウジング１３の第１端面１３１から第２端面１３２に向かって、１つ目の端子１３ｄは第１の端子、２つ目の端子１３ｄは第２の端子、３つ目の端子１３ｄは第３の端子、４つ目の端子１３ｄは第４の端子、５つ目の端子１３ｄは第５の端子である。第５の端子に接続される導体１３ｃは、第３の端子を、電子機器に設けられる第３の機器側導体へ電気的に接続する第３の接続導体として機能する。
【００８４】
コネクタ１０Ｂには、例えば、複数の電子機器１，２，３で共用される信号を伝送する２つの渡り配線と、複数の電子機器１，２，３の内、特定の電子機器のみで利用される信号を伝送する１つの渡り配線とを接続可能である。例えば電子機器１のみで利用される信号を伝送する渡り配線は、第５の端子に接続される。コネクタ１０Ｂによれば、端子１３ｄの数を減らすことができるため、コネクタ１０Ｂの構造が簡素化される。なお、図１に示すコネクタ２０及びコネクタ３０のそれぞれは、図７に示すコネクタ１０Ｂと同様に構成してもよい。また電子機器システム１００には、例えば図４に示されるコネクタ１０と、図７に示されるコネクタ１０Ｂと同様に構成されるコネクタ２０と、図７に示されるコネクタ１０Ｂと同様に構成されるコネクタ３０とを組み合わせてもよい。このように異なる形状の複数のコネクタを組み合わせた場合でも、これらのコネクタには、複数の電子機器１，２，３で共用される信号を伝送する１つの渡り配線と、複数の電子機器１，２，３の内、特定の電子機器のみで利用される信号を伝送する１つの渡り配線とを接続可能である。
【００８５】
コネクタ１０Ｂによれば、コネクタ１０と同様に、コネクタ１０ＢのＺ軸方向の幅を小さくすることができる。また、コネクタ１０Ｂは、コネクタ１０に比べて、Ｘ軸方向の幅を小さくすることができる。例えば、複数の電子機器１，２，３の間で２種類の信号のみ共用するように構成される電子機器システム１００は、図１に示す複数の電子機器１，２，３のそれぞれのＸ軸方向の幅を小さくできる。このようにＸ軸方向の幅が小さい複数の電子機器１，２，３に、図７に示すコネクタ１０Ｂを用いることができる。従って、コネクタ１０Ｂによれば、電子機器システム１００全体の大きさを、より一層小さくすることができる。
【００８６】
なお、第２のハウジング１３Ｂは、図４に示す第１のハウジング１２に接続することも可能である。すなわち、図４に示す第１のハウジング１２は、図４に示す第２のハウジング１３と、図６に示す第２のハウジング１３Ｂとに利用可能である。
【００８７】
また、図４に示す第１のハウジング１２には、渡り配線に対応していない第２のハウジングを接続することもできる。図８は図４に示す第１のハウジングに渡り配線に対応していない第２のハウジングを接続する状態を示す図である。図８に示す第２のハウジング１３Ｃには、導体１１の代わりに、６つの導体１３ｃが設けられている。第２のハウジング１３Ｃには、例えば、特定の電子機器にのみ利用される信号を伝送するための渡り配線が接続される。第２のハウジング１３ＣのＺ軸方向の幅は、第２のハウジング１３のＺ軸方向の幅と等しい。第２のハウジング１３Ｃの６つの導体１３ｃａ，１３ｃｂ，１３ｃｃ，１３ｃｄ，１３ｃｅ，１３ｃｆの一端は、第２のハウジング１３Ｃの６つの端子１３ｄａ，１３ｄｂ，１３ｄｃ，１３ｄｄ，１３ｄｅ，１３ｄｆに接続される。また第２のハウジング１３Ｃの６つの導体１３ｃａ，１３ｃｂ，１３ｃｃ，１３ｃｄ，１３ｃｅ，１３ｃｆの他端は、第１のハウジング１２の６つの端子１２ｂａ，１２ｂｂ，１２ｂｃ，１２ｂｄ，１２ｂｅ，１２ｂｆに接続される。６つの端子１２ｂａ，１２ｂｂ，１２ｂｃ，１２ｂｄ，１２ｂｅ，１２ｂｆは、６つの機器側導体１ｃａ，１ｃｂ，１ｃｃ，１ｃｄ，１ｃｅ，１ｃｆに接続される。第１のハウジング１２に接続されるハウジングが、第２のハウジング１３から第２のハウジング１３Ｃに入れ替えられることにより、コネクタのサイズを変えずに、渡り配線に対応した構成と渡り配線に対応していない構成とを切り替えることができる。
【００８８】
なお、本実施の形態では、渡り配線に設けられる雄型端子をコネクタ１０，１０Ａ，１０Ｂの端子挿入穴に挿入することで、渡り配線と電子機器との電気的な接続が行われているが、コネクタ１０，１０Ａ，１０Ｂへの渡り配線の接続方法は、ばねクランプ、ねじクランプ、はんだ付けなどでもよい。また、渡り配線の代わりにバスバーが用いられる場合、コネクタ１０，１０Ａ，１０Ｂに、端子１３ｄの代わりに突形状の導電性端子を設けておき、バスバーに形成される端子をこの導電性端子へ接続する構造としてもよい。
【００８９】
なお、本実施の形態では、コネクタ１０，１０Ａ，１０Ｂの筐体が、分割可能な２つのハウジングで構成されるが、コネクタ１０，１０Ａ，１０Ｂの筐体は一つのハウジングで構成してもよい。
【００９０】
また、コネクタ１０，１０Ａ，１０Ｂでは、凹部１２ｃに突部１３ｅが嵌め合わされているが、導体１１、導体１３ｃ及び端子１２ｂが電気的に接続されるように構成されていればよく、コネクタ１０，１０Ａ，１０Ｂの構造は図示例に限定されない。例えば、第２のハウジング１３に突部１３ｅが設けられずに、第２のハウジング１３の第１のハウジング１２側の領域が平面状に形成され、第１のハウジング１２に凹部１２ｃが設けられずに、第１のハウジング１２の第２のハウジング１３側の領域が平面状に形成される。そして、第２のハウジング１３の第１端面１３１及び第２端面１３２のそれぞれに鉤状部材が形成され、２つの鉤状部材が第２のハウジング１３から第１のハウジング１２に向かって伸びており、２つの鉤状部材の先端が、第１のハウジング１２に形成される凹部に嵌り込む。これにより、第２のハウジング１３を第１のハウジング１２に固定することができる。
【００９１】
また、コネクタ１０，１０Ａ，１０Ｂでは、電子機器側を向く領域において、２つ目の端子１３ｄに対応して設けられる端子１２ｂと、導体１１との間には、筒状の端子１３ｃが設けられていない。これにより、２つ目の端子１３ｄに対応して設けられる端子１２ｂと、導体１１との間に、筒状の端子１３ｃが設けられている場合に比べて、コネクタ１０，１０Ａ，１０Ｂの構造が簡素化されると共に、コネクタ１０，１０Ａ，１０Ｂの製造コストを低減できる。なお、コネクタ１０，１０Ａ，１０Ｂでは、電子機器側を向く領域において、１つ目の端子１３ｄに対応して設けられる端子１２ｂと、導体１１との間に、筒状の端子１３ｃが設けられず、２つ目の端子１３ｄに対応して設けられる端子１２ｂと、導体１１との間に、筒状の端子１３ｃを設けてもよい。
【００９２】
また、コネクタ１０，１０Ａ，１０Ｂでは、筒状の端子１３ｃが用いられているが、端子１３ｃの形状は筒状に限定されず、中実の棒形状でもよい。中実の棒形状の端子１３ｃが用いられる場合、端子１３ｃの先端に端子１２ｂの先端が接続される。
【００９３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００９４】
１，２，３  電子機器、１ａ，２ａ，３ａ  端面、１ｂ，２ｂ，３ｂ  コネクタ挿入口、１ｃ，１ｃａ，１ｃｂ，１ｃｃ，１ｃｄ，１ｃｅ，１ｃｆ，２ｃ，３ｃ  機器側導体、１ｄ  内部配線、１ｅ  内部回路、１０，１０Ａ，１０Ｂ，２０，３０  コネクタ、１１，１３ｃ，１３ｃａ，１３ｃｂ，１３ｃｃ，１３ｃｄ，１３ｃｅ，１３ｃｆ，２１，３１  導体、１２，１２Ａ，１２Ｂ  第１のハウジング、１２ａ，１３ｂ  貫通孔、１２ｂ，１２ｂａ，１２ｂｂ，１２ｂｃ，１２ｂｄ，１２ｂｅ，１２ｂｆ，１３ｄ，１３ｄ１，１３ｄ２，１３ｄ３，１３ｄ４，１３ｄ５，１３ｄ６，１３ｄａ，１３ｄｂ，１３ｄｃ，１３ｄｄ，１３ｄｅ，１３ｄｆ  端子、１２ｃ  凹部、１３，１３Ａ，１３Ｂ，１３Ｃ，２３，３３  第２のハウジング、１３ａ，１３ａ１，１３ａ２，１３ａ３，１３ａ４，１３ａ５，１３ａ６，２３ａ，３３ａ  端子挿入穴、１３ｅ  突部、４０ａ  第１の接続導体、４０ｂ  第２の接続導体、４０ｃ  第３の接続導体、１００  電子機器システム、１３１，２３１，３３１  第１端面、１３２，２３２，３３２  第２端面、ａ１，ａ２，ａ３  渡り配線。
【図１】
2020003441.tif 000003
【図２】
2020003441.tif 000004
【図３】
2020003441.tif 000005
【図４】
2020003441.tif 000006
【図５】
2020003441.tif 000007
【図６】
2020003441.tif 000008
【図７】
2020003441.tif 000009
【図８】
2020003441.tif 000010
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
電子機器に取り付けられる第１のハウジングと、
前記第１のハウジングの前記電子機器側とは逆側に取り付けられる第２のハウジングと、
前記第２のハウジングの内、前記電子機器側を向く領域とは逆側となる領域に設けられる第１の端子と、
前記逆側となる領域に設けられ、前記第１の端子の隣りに設けられる第２の端子と、
前記逆側となる領域に設けられ、前記第１の端子と前記第２の端子との配列方向に沿って、前記第２の端子の隣りに設けられる第３の端子と、
前記第１の端子及び前記第２の端子を互いに電気的に接続すると共に、前記第１の端子及び前記第２の端子を、前記電子機器に設けられる２つの第１の機器側導体へ電気的に接続する第１の接続導体と、
を備え、
前記第１の接続導体は、
前記逆側となる領域に設けられ、前記第１の端子及び前記第２の端子を互いに電気的に接続する第１の導体と、
一端が前記第１の導体に接続され、他端が前記電子機器側を向く領域に向かって伸びる第１の接続端子と、
前記電子機器側を向く領域において前記第１の端子に対応して設けられ、一端が前記第１の接続端子に接続され、他端が一方の前記第１の機器側導体と電気的に接続される第１棒状端子と、
前記電子機器側を向く領域において前記第２の端子に対応して設けられ、他方の前記第１の機器側導体と電気的に接続される第２棒状端子と、
を備え、
前記第２棒状端子と前記第１の導体との間は、電気的に接続されていないことを特徴とするコネクタ。
【請求項２】
前記逆側となる領域に設けられ、前記配列方向に沿って、前記第３の端子の隣りに設けられる第４の端子と、
前記第３の端子及び前記第４の端子を互いに電気的に接続すると共に、前記第３の端子及び前記第４の端子を、前記電子機器に設けられる２つの第２の機器側導体へ電気的に接続する第２の接続導体と、
を備え、
前記第２の接続導体は、
前記逆側となる領域に設けられ、前記第３の端子及び前記第４の端子を互いに電気的に接続する第２の導体と、
一端が前記第２の導体に接続され、他端が前記電子機器側を向く領域に向かって伸びる第２の接続端子と、
前記電子機器側を向く領域において前記第３の端子に対応して設けられ、一端が前記第２の接続端子に接続され、他端が一方の前記第２の機器側導体と電気的に接続される第３棒状端子と、
前記電子機器側を向く領域において前記第４の端子に対応して設けられ、他方の前記第２の機器側導体と電気的に接続される第４棒状端子と、
を備え、
前記第４棒状端子と前記第２の導体との間は、電気的に接続されていないことを特徴とする請求項１に記載のコネクタ。
【請求項３】
前記第３の端子を、前記電子機器に設けられる第２の機器側導体へ電気的に接続する第２の接続導体を備えることを特徴とする請求項１に記載のコネクタ。
【請求項４】
前記逆側となる領域に設けられ、前記配列方向に沿って、前記第４の端子の隣りに設けられる第５の端子と、
前記第５の端子を、前記電子機器に設けられる第３の機器側導体へ電気的に接続する第３の接続導体と、
を備えることを特徴とする請求項２に記載のコネクタ。
【請求項５】
電子機器に取り付けられる第１のハウジングと、
前記第１のハウジングの前記電子機器側とは逆側に取り付けられる第２のハウジングと、
前記第２のハウジングの内、前記電子機器側を向く領域とは逆側となる領域に設けられる第１の端子と、
前記逆側となる領域に設けられ、前記第１の端子の隣りに設けられる第２の端子と、
前記逆側となる領域に設けられ、前記第１の端子と前記第２の端子との配列方向に沿って、前記第２の端子の隣りに設けられる第３の端子と、
前記第１の端子及び前記第２の端子を互いに電気的に接続すると共に、前記第１の端子及び前記第２の端子を、前記電子機器に設けられる第１の機器側導体へ電気的に接続する第１の接続導体と、
を備え、
前記第１の接続導体は、
前記逆側となる領域に設けられ、前記第１の端子及び前記第２の端子を互いに電気的に接続する導体と、
一端が前記導体に接続され、他端が前記電子機器側を向く領域に向かって伸びる端子と、
前記電子機器側を向く領域において前記第２の端子に対応して設けられ、一端が前記端子に接続され、他端が前記第１の機器側導体と電気的に接続される第１棒状端子と、
を備え、
前記電子機器側を向く領域において前記第１の端子に対応して設けられる第２棒状端子と、前記導体との間には、前記端子が設けられていないことを特徴とするコネクタ。
【請求項６】
請求項１から４の何れか一項に記載のコネクタが第１コネクタとして設けられる第１の電子機器と、
請求項１から４の何れか一項に記載のコネクタが第２コネクタとして設けられ、前記第１の電子機器の隣りに配置される第２の電子機器と、
請求項１から４の何れか一項に記載のコネクタが第３コネクタとして設けられ、前記第２の電子機器の前記第１の電子機器側とは逆側に配置される第３の電子機器と、
前記第１コネクタの前記第２の端子と、前記第２コネクタの前記第１の端子とを接続する第１の導電性部材と、
前記第２コネクタの前記第２の端子と、前記第３コネクタの前記第１の端子とを接続する第２の導電性部材と、
を備えることを特徴とする電子機器システム。
【請求項７】
請求項５に記載のコネクタが第１コネクタとして設けられる第１の電子機器と、
請求項５に記載のコネクタが第２コネクタとして設けられ、前記第１の電子機器の隣りに配置される第２の電子機器と、
請求項５に記載のコネクタが第３コネクタとして設けられ、前記第２の電子機器の前記第１の電子機器側とは逆側に配置される第３の電子機器と、
前記第１コネクタの前記第１の端子と、前記第２コネクタの前記第２の端子とを接続する第１の導電性部材と、
前記第２コネクタの前記第１の端子と、前記第３コネクタの前記第２の端子とを接続する第２の導電性部材と、
を備えることを特徴とする電子機器システム。
【請求項８】
ハウジングと、
第１の外部端子と、
前記第１の外部端子の隣りに設けられる第２の外部端子と、
前記第１の外部端子と前記第２の外部端子との配列方向に沿って、前記第１の外部端子または前記第２の外部端子の隣りに設けられる第３の外部端子と、
前記第１の外部端子と前記第２の外部端子とを電気的に接続する第１の導体と、
前記第１の外部端子に対応して設けられる第１の内部端子と、
前記第２の外部端子に対応して設けられ、前記第１の内部端子の隣りに設けられる第２の内部端子と、
前記第１の導体と前記第１の内部端子とを電気的に接続する第１の接続導体と、
を備え、
前記第１の導体と前記第２の内部端子は電気的に接続されていないコネクタ。
【手続補正２】
【補正対象書類名】明細書
【補正対象項目名】０００９
【補正方法】変更
【補正の内容】
【０００９】
上述した課題を解決し、目的を達成するために、本発明のコネクタは、電子機器に取り付けられる第１のハウジングと、第１のハウジングの電子機器側とは逆側に取り付けられる第２のハウジングとを備える。第２のハウジングの内、電子機器側を向く領域とは逆側となる領域に設けられる第１の端子と、逆側となる領域に設けられ、第１の端子の隣りに設けられる第２の端子とを備える。コネクタは、逆側となる領域に設けられ、第１の端子と第２の端子との配列方向に沿って、第２の端子の隣りに設けられる第３の端子を備える。コネクタは、第１の端子及び第２の端子を互いに電気的に接続すると共に、第１の端子及び第２の端子を、電子機器に設けられる２つの第１の機器側導体へ電気的に接続する第１の接続導体を備えることを特徴とする。第１の接続導体は、逆側となる領域に設けられ、第１の端子及び第２の端子を互いに電気的に接続する第１の導体と、一端が第１の導体に接続され、他端が電子機器側を向く領域に向かって伸びる第１の接続端子と、電子機器側を向く領域において第１の端子に対応して設けられ、一端が第１の接続端子に接続され、他端が一方の第１の機器側導体と電気的に接続される第１棒状端子と、電子機器側を向く領域において第２の端子に対応して設けられ、他方の第１の機器側導体と電気的に接続される第２棒状端子と、を備え、第２棒状端子と第１の導体との間は、電気的に接続されていないことを特徴とする。
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
電子機器に取り付けられる第１のハウジングと、
前記第１のハウジングの前記電子機器側とは逆側に取り付けられる第２のハウジングと、
前記第２のハウジングの内、前記電子機器側を向く領域とは逆側となる領域に設けられる第１の端子と、
前記逆側となる領域に設けられ、前記第１の端子の隣りに設けられる第２の端子と、
前記逆側となる領域に設けられ、前記第１の端子と前記第２の端子との配列方向に沿って、前記第２の端子の隣りに設けられる第３の端子と、
前記第１の端子及び前記第２の端子を互いに電気的に接続すると共に、前記第１の端子及び前記第２の端子を、前記電子機器に設けられる２つの第１の機器側導体へ電気的に接続する第１の接続導体と、
を備え、
前記第１の接続導体は、
前記逆側となる領域に設けられ、前記第１の端子及び前記第２の端子を互いに電気的に接続する第１の導体と、
一端が前記第１の導体に接続され、他端が前記電子機器側を向く領域に向かって伸びる第１の接続端子と、
前記電子機器側を向く領域において前記第１の端子に対応して設けられ、一端が前記第１の接続端子に接続され、他端が一方の前記第１の機器側導体と電気的に接続される第１棒状端子と、
前記電子機器側を向く領域において前記第２の端子に対応して設けられ、他方の前記第１の機器側導体と電気的に接続される第２棒状端子と、
を備え、
前記第２棒状端子と前記第１の導体との間は、電気的に接続されていないことを特徴とするコネクタ。
【請求項２】
前記逆側となる領域に設けられ、前記配列方向に沿って、前記第３の端子の隣りに設けられる第４の端子と、
前記第３の端子及び前記第４の端子を互いに電気的に接続すると共に、前記第３の端子及び前記第４の端子を、前記電子機器に設けられる２つの第２の機器側導体へ電気的に接続する第２の接続導体と、
を備え、
前記第２の接続導体は、
前記逆側となる領域に設けられ、前記第３の端子及び前記第４の端子を互いに電気的に接続する第２の導体と、
一端が前記第２の導体に接続され、他端が前記電子機器側を向く領域に向かって伸びる第２の接続端子と、
前記電子機器側を向く領域において前記第３の端子に対応して設けられ、一端が前記第２の接続端子に接続され、他端が一方の前記第２の機器側導体と電気的に接続される第３棒状端子と、
前記電子機器側を向く領域において前記第４の端子に対応して設けられ、他方の前記第２の機器側導体と電気的に接続される第４棒状端子と、
を備え、
前記第４棒状端子と前記第２の導体との間は、電気的に接続されていないことを特徴とする請求項１に記載のコネクタ。
【請求項３】
前記第３の端子を、前記電子機器に設けられる第２の機器側導体へ電気的に接続する第２の接続導体を備えることを特徴とする請求項１に記載のコネクタ。
【請求項４】
前記逆側となる領域に設けられ、前記配列方向に沿って、前記第４の端子の隣りに設けられる第５の端子と、
前記第５の端子を、前記電子機器に設けられる第３の機器側導体へ電気的に接続する第３の接続導体と、
を備えることを特徴とする請求項２に記載のコネクタ。
【請求項５】
電子機器に取り付けられる第１のハウジングと、
前記第１のハウジングの前記電子機器側とは逆側に取り付けられる第２のハウジングと、
前記第２のハウジングの内、前記電子機器側を向く領域とは逆側となる領域に設けられる第１の端子と、
前記逆側となる領域に設けられ、前記第１の端子の隣りに設けられる第２の端子と、
前記逆側となる領域に設けられ、前記第１の端子と前記第２の端子との配列方向に沿って、前記第２の端子の隣りに設けられる第３の端子と、
前記第１の端子及び前記第２の端子を互いに電気的に接続すると共に、前記第１の端子及び前記第２の端子を、前記電子機器に設けられる第１の機器側導体へ電気的に接続する第１の接続導体と、
を備え、
前記第１の接続導体は、
前記逆側となる領域に設けられ、前記第１の端子及び前記第２の端子を互いに電気的に接続する導体と、
一端が前記導体に接続され、他端が前記電子機器側を向く領域に向かって伸びる端子と、
前記電子機器側を向く領域において前記第２の端子に対応して設けられ、一端が前記端子に接続され、他端が前記第１の機器側導体と電気的に接続される第１棒状端子と、
を備え、
前記電子機器側を向く領域において前記第１の端子に対応して設けられる第２棒状端子と、前記導体との間には、前記端子が設けられていないことを特徴とするコネクタ。
【請求項６】
請求項１から４の何れか一項に記載のコネクタが第１コネクタとして設けられる第１の電子機器と、
請求項１から４の何れか一項に記載のコネクタが第２コネクタとして設けられ、前記第１の電子機器の隣りに配置される第２の電子機器と、
請求項１から４の何れか一項に記載のコネクタが第３コネクタとして設けられ、前記第２の電子機器の前記第１の電子機器側とは逆側に配置される第３の電子機器と、
前記第１コネクタの前記第２の端子と、前記第２コネクタの前記第１の端子とを接続する第１の導電性部材と、
前記第２コネクタの前記第２の端子と、前記第３コネクタの前記第１の端子とを接続する第２の導電性部材と、
を備えることを特徴とする電子機器システム。
【請求項７】
請求項５に記載のコネクタが第１コネクタとして設けられる第１の電子機器と、
請求項５に記載のコネクタが第２コネクタとして設けられ、前記第１の電子機器の隣りに配置される第２の電子機器と、
請求項５に記載のコネクタが第３コネクタとして設けられ、前記第２の電子機器の前記第１の電子機器側とは逆側に配置される第３の電子機器と、
前記第１コネクタの前記第１の端子と、前記第２コネクタの前記第２の端子とを接続する第１の導電性部材と、
前記第２コネクタの前記第１の端子と、前記第３コネクタの前記第２の端子とを接続する第２の導電性部材と、
を備えることを特徴とする電子機器システム。
【請求項８】
ハウジングと、
第１の外部端子と、
前記第１の外部端子の隣りに設けられる第２の外部端子と、
前記第１の外部端子と前記第２の外部端子との配列方向に沿って、前記第２の外部端子の隣りに設けられる第３の外部端子と、
前記第１の外部端子と前記第２の外部端子との配列方向に沿って、前記第３の外部端子の隣りに設けられる第４の外部端子と、
前記第１の外部端子と前記第２の外部端子とを電気的に接続する第１の導体と、
前記第３の外部端子と前記第４の外部端子とを電気的に接続する第２の導体と、
前記第１の外部端子に対応して設けられる第１の内部端子と、
前記第２の外部端子に対応して設けられ、前記第１の内部端子の隣りに設けられる第２の内部端子と、
前記第３の外部端子に対応して設けられ、前記第２の内部端子の隣りに設けられる第３の内部端子と、
前記第４の外部端子に対応して設けられ、前記第３の内部端子の隣りに設けられる第４の内部端子と、
前記第１の導体と前記第１の内部端子とを電気的に接続する第１の接続導体と、
前記第２の導体と前記第３の内部端子とを電気的に接続する第２の接続導体と、
を備え、
前記第２の内部端子は、前記第１の導体および前記第２の導体と、電気的に接続されておらず、
前記第４の内部端子は、前記第１の導体および前記第２の導体と、電気的に接続されていないことを特徴とするコネクタ。
【国際調査報告】
2020003441.tif 000011
2020003441.tif 000012
2020003441.tif 000013
2020003441.tif 000014